(57)【特許請求の範囲】
【請求項１】
収納液の取り出しによる内部負圧化に伴って収縮する収納液密閉用の液充填袋２を有する容器体３に取り付けて使用されるポンプであって、上記容器体内上部に垂下させてその底壁14中央に吸引口15を開口させたシリンダ４と、該シリンダ内に摺動可能に嵌合させた環状ピストン22を下部に有するとともに、上端部の押し下げヘッド23を容器体上方へ突出させて上方付勢状態で上下動可能に設けた上下動部材５とを備え、該部材５の上下動により容器体内の液をシリンダ４内へ吸い上げてヘッド23の注出口より注出する如く構成した液体注出ポンプに於いて、上記シリンダ４の周壁13外面及び底壁14下面を凹凸面Ａに形成するとともに、上記液充填袋による上記吸引口の閉塞を邪魔するための隙間保持体６をシリンダ４と一体に形成し、上記隙間保持体が、上記シリンダ底壁下面の吸引口15周囲に周方向等間隔に上端を連結するとともに、下端を液充填袋２内底部に垂下させた複数の脚29よりなることを特徴とする液体注出ポンプ。
【請求項２】
上記隙間保持体に代えて、シリンダ底壁14下面の吸引口15周囲に上端を一体に連結して下端を液充填袋２の内底部に垂下させた筒状をなすとともに、外面上端より下端に至る周方向複数の突条32を縦設し、且つ、筒壁の前記突条の縦設部分に前記突条を貫通する透孔33を複数穿設した隙間保持体６を設けてなる請求項１記載の液体注出ポンプ。
【請求項３】
上記隙間保持体に代えて、上記シリンダ底壁14下面の吸引口15両側に一対の支持棒部36を垂設するとともに、各支持棒部36下面にドーナツ板状部37上面周縁部を連結し、且つ、各支持棒部36前面相互及び後面相互に複数の円弧板状部38を掛け渡してなる隙間保持体６を設けてなる請求項１記載の液体注出ポンプ。
【発明の詳細な説明】
【０００１】
【産業上の利用分野】
本発明は液体注出ポンプに関し、詳しくは、可撓性の液充填袋を内装した容器体に装着して使用する液体注出ポンプに関する。
【０００２】
【従来の技術】
一般に、高粘度であったり、或いは嫌気性の収納液を一定量で注出する液体注出ポンプとして、可撓性の液充填袋が内装された容器体に取り付け使用されるものがある。これらポンプは、容器体上部に垂下させたシリンダと、該シリンダ内に摺動可能に嵌合させた環状ピストンを下部に有するとともに、上端部の押し下げヘッドを容器体上方へ突出させて上方付勢状態で上下動可能に設けた上下動部材とを備えている。
【０００３】
また、上記シリンダの底壁には吸引口を穿設し、この吸引口周囲の底壁裏面より垂設した嵌合筒部に上端を嵌合した円筒状の吸い上げパイプを液充填袋内下部に垂下させている。
【０００４】
そして、上記上下動部材を上下動させることにより容器体内の液を吸い上げパイプ下端開口より吸引口を介してシリンダ内へ吸い上げ、また、シリンダ内の液をヘッドの注出口より注出する如く構成している。
【０００５】
【発明が解決しようとする課題】
ところが、上記した従来のものに於いては、使い初めのときには問題ないが、収納液が少なくなってくると液充填袋が吸い上げパイプ等に密着し易くなり、吸い上げパイプ下端開口が塞がれて、収納液を吸引することができなくなる。このため、ポンプが完全復帰することができなくなり、収納液が残留するという問題があった。
【０００６】
また、液充填袋が吸い上げパイプ等に密着することによって、液充填袋上部にある収納液が吸い上げパイプ下端開口まで流下することを阻止し、併せて液充填袋の底部が重点的にしぼむことによって収納液が上部に溜まることとなる。このように収納液が液充填袋の上部に残留しては不経済である。
【０００７】
本発明はこのような従来の技術の欠点に鑑みなされたもので、液充填袋が収納液のシリンダ内への吸い上げの邪魔をすることがなく円滑且つ確実な液の注出が行えるとともに、収納液の略全量を注出することが出来、しかも生産性に優れた安価に製造できる液体注出ポンプを提案するものである。
【０００８】
【課題を解決するための手段】
上記課題を解決するため、本発明の第１の手段として、収納液の取り出しによる内部負圧化に伴って収縮する収納液密閉用の液充填袋２を有する容器体３に取り付けて使用されるポンプであって、上記容器体内上部に垂下させてその底壁14中央に吸引口15を開口させたシリンダ４と、該シリンダ内に摺動可能に嵌合させた環状ピストン22を下部に有するとともに、上端部の押し下げヘッド23を容器体上方へ突出させて上方付勢状態で上下動可能に設けた上下動部材５とを備え、該部材５の上下動により容器体内の液をシリンダ４内へ吸い上げてヘッド23の注出口より注出する如く構成した液体注出ポンプに於いて、上記シリンダ４の周壁13外面及び底壁14下面を凹凸面Ａに形成し、上記吸引口15周囲のシリンダ底壁下面に上端を連結して下端を液充填袋２内底部に垂下させ、且つ、液充填袋による吸引口の閉塞を邪魔するための隙間保持体６をシリンダ４と一体に形成してなることを特徴とする液体注出ポンプとして構成した。
【０００９】
また、第２の手段として、上記第１の手段に於いて、上記隙間保持体６が、シリンダ底壁14下面の吸引口15周囲に、周方向等間隔に複数の脚29を垂設してなる液体注出ポンプとして構成した。（請求項１）
【００１０】
また、第３の手段として、上記第１の手段に於いて、上記隙間保持体６が、シリンダ底壁14下面の吸引口15周囲に上端を一体に連結して下端を液充填袋２の内底部に垂下させた筒状をなすとともに、外面上端より下端に至る周方向複数の突条32を縦設し、且つ、筒壁の前記突条縦設部分に前記突条を貫通する透孔33を複数穿設してなる液体注出ポンプとして構成した。（請求項２）
【００１１】
また、第４の手段として、上記第１の手段に於いて、上記隙間保持体６が、シリンダ底壁14下面の吸引口15周囲に上端を一体に連結した支持板部34を垂設し、各支持板部34下面に縦長の放射板状部35上面を一体に連結してなる液体注出ポンプとして構成した。
【００１２】
また、第５の手段として、上記第１の手段に於いて、  上記隙間保持体６が、シリンダ底壁14下面の吸引口15両側に一対の支持棒部36を垂設するとともに、各支持棒部36下面にドーナツ板状部37上面周縁部を連結し、且つ、各支持棒部36前面相互及び後面相互に複数の円弧板状部38を掛け渡してなる液体注出ポンプとして構成した。（請求項３）
【００１３】
【作用】
液充填袋２内の液が減少することにより該袋がしぼんでも、隙間保持体６の存在で吸引口１５を閉塞することは無い。
【００１４】
また、シリンダ周壁１３外面及び底壁１４下面を凹凸面Ａに形成しているので、しぼんだ液充填袋２がシリンダ外面に密着しない。
【００１５】
【実施例】
以下、本発明の実施例を図面を参照して説明する。
図１は本発明の一実施例を示すもので、本発明液体注出ポンプ１は、内部に液充填袋２を有する容器体３に取り付けて使用されるもので、シリンダ４と、上下動部材５と、隙間保持体６とを備えている。
【００１６】
容器体３は筒状胴部７上端縁より口頚部８を起立して構成しており、口頚部８外周には螺条を周設している。この容器体の胴部７から口頚部８に至る内面全面及び口頚部上面に亘り液充填袋２が剥離可能に積層されている。また、口頚部８下部には透孔９を穿設して容器体３内面及び該内面から剥離する液充填袋２との間に外気を導入可能に構成している。
【００１７】
尚、本発明に於いて液充填袋２は上記した如き容器体内面に剥離可能に積層したものに限らず、容器体内に単に挿入させたものであっても良く、従来のこの種容器に使用される液充填袋の形態であればいずれも採用できる。
【００１８】
シリンダ４は、装着キャップ１０により上端を容器体口頚部に固定させるとともに、その下端部を容器体内上部に垂下させている。本実施例では、容器体口頚部８上面にパッキン１１を介して載置させたフランジ１２を周壁１３上端より突設するとともに、周壁１３下端縁より延設した底壁１４中央には吸引口１５を穿設している。
【００１９】
また、シリンダ４の周壁１３外面及び底壁１４下面を凹凸面Ａに形成して、しぼんだ液充填袋２が密着するのを防止する如く構成している。本実施例では、周壁１３外面上端より下端に至り、更に底壁１４下面中央部に至る凹溝１６を周方向多数形成して凹凸面Ａを形成している。
【００２０】
また、装着キャップ１０は、容器体口頚部８外周に螺着させる周壁１７上端縁より内向きフランジ状の頂壁１８を延設し、また、頂壁中央の窓孔周縁から下方へ短筒１９を垂設し、更に、頂壁１８上面からは上下動部材５の上下動を案内する案内筒２０を立設して構成している。
【００２１】
そして、上記フランジ１２を装着キャップ頂壁１８下部の周壁１７と短筒１９間に嵌合させてシリンダ４を装着キャップ１０に固定させるとともに、装着キャップ周壁１７を口頚部８外周に螺着させることにより、容器体口頚部８上面にパッキン１１介してシリンダのフランジ１２を圧接し、以てシリンダを容器体に固定させている。
【００２２】
また、シリンダ４内には吸い込み弁２１を設けている。この吸い込み弁２１は、シリンダ周壁１３内下端部に嵌着させたリング状の枠部２１ａ  と、上記吸引口１５上面を閉塞する弁板２１ｂ  とを周方向複数の弾性板部２１ｃ  により一体に連結させて構成した公知機構のものである。
【００２３】
上下動部材５は、上記シリンダ４内に摺動可能に嵌合させた環状ピストン２２を下部に有するとともに、上端部の押し下げヘッド２３を容器体上方へ突出させて上方付勢状態で上下動可能に設けたものである。
【００２４】
本実施例では、シリンダ４内周に上下摺動可能に外周縁を嵌合させた断面Ｈ状をなす環状ピストン２２の内周縁部を、シリンダ４内中央部に上下動可能に挿入したステム２４の外周下部に所定幅の上下動が可能に嵌合させ、また、ステム２４の上端にはノズル２５付き押し下げヘッド２３を嵌着固定して、ステム２４内上端と上記ノズル２５内とを連通させ、また、押し下げヘッド２３の頂壁裏面と上記装着キャップの頂壁上面との間に介在されたコイルスプリング２６により常時上方へ付勢させている。更に、ヘッド２３の周壁を上記案内筒２０外周に上下動可能且つ抜け出し不能に嵌合させている。
【００２５】
上記環状ピストン２２を嵌合した部分のステム２４には透孔２７を穿設し、環状ピストン２２内周下端縁がその透孔２７下部位置に突設したフランジ部２８上面に圧接する際に、その透孔２７が閉塞されてシリンダ４内とステム２４内とが遮断され、また、環状ピストン２２がステム２４と相対的に上昇する際には透孔２７を介してシリンダ４内とステム２４内とが連通する如く構成している。
【００２６】
そして、ヘッド２３を押し下げるとシリンダ４内が加圧されるとともに、環状ピストン２２がステム２４に対して相対的に押し上げられ、加圧液がシリンダ４より透孔２７を通りステム２４を介してノズル２５先端の注出口から外部に注出される。一方、上下動部材５が上昇する際はシリンダ４内が負圧化し、環状ピストン２２が相対下降して透孔２７を閉塞させるとともに、吸い込み弁２１が開いて容器体内の液をシリンダ４内へ導入する。
【００２７】
尚、本発明に於いて上記シリンダや上下動部材等の具体的構成は上記実施例のものに限らず、従来のこの種ポンプに使用されているポンプ機構であれば採用できる。
【００２８】
隙間保持体６は、上記シリンダ４と一体に形成され、また、液充填袋２による吸引口１５の閉塞を邪魔するためのもので、上記吸引口１５周囲のシリンダ底壁１４下面に上端を連結して下端を液充填袋２内底部に垂下させたものである。この隙間保持体６の具体的構成は種々採用出来、例えば、図１乃至図１０に示すものが挙げられる。
【００２９】
図１及び図２に示す実施例では、吸引口１５周囲のシリンダ底壁１４下面周囲より、周方向等間隔に複数の脚２９を垂設してなる隙間保持体を構成している。
【００３０】
図１の実施例では、吸引口１５周囲のシリンダ底壁１４下面前後左右位置より、各々横断面が外方へ突出する円弧状をなす四本の脚２９を垂設して隙間保持体６を構成している。また、各脚２９は内面中央の上端から下端に至る縦リブ２９ａ  を各々縦設している。
【００３１】
図２に示す実施例では、吸引口１５周囲のシリンダ底壁１４下面周囲の周方向等間隔位置より三本の棒状脚３０を垂設し、各脚の下端をドーナツ板状部３１上面に一体に連結して収束させ、隙間保持体６を構成している。
【００３２】
また、図３乃至図５に示す実施例では、上記吸引口１５周囲に上端を一体に連結して下端を液充填袋２内底部に垂下させた筒状をなすとともに、筒壁外面上端より下端に至る突条３２を周方向複数縦設し、且つ、筒壁に透孔３３を穿設して隙間保持体６を構成している。
【００３３】
図３に示す隙間保持体６は、筒壁外面上端より下端に至る突条３２を周方向多数縦設し、また、筒壁下端縁の周方向三箇所に切り溝状の透孔３３を穿設して構成している。
【００３４】
図４に示す隙間保持体６は、筒壁の周囲四箇所に等間隔に突条３２を縦設し、筒壁の突条縦設部分に突条を貫通する透孔３３を複数穿設して構成している。
【００３５】
図５に示す隙間保持体６は、筒壁の周囲三箇所に等間隔に突条３２を縦設し、筒壁の上端部をリング状の透孔３３を穿設して構成している。
【００３６】
また、図６に示す実施例では、吸引口１５周囲に等間隔に三箇所から短い支持板部３４を垂設し、各支持板部３４下面に三枚よりなる縦長の放射板状部３５を上面を一体に連結して隙間保持体６を構成している。
【００３７】
図７に示す実施例では、吸引口１５両側に一対の支持棒部３６を垂設するとともに、各支持棒部３６下面にドーナツ板状部３７上面周縁部を連結し、各支持棒部３６前面相互及び後面相互に複数の円弧板状部３８を掛け渡して隙間保持体６を構成している。
【００３８】
図８に示す実施例では、吸引口１５両側に両上端部を連結して吸引口１５下方を掛け渡した凹状板部３９と、該凹状板部３９下面中央より垂下させた棒状部４０と、該棒状部外面より放射状に突設した複数の突起４１とから隙間保持体６を構成している。
【００３９】
図９に示す実施例では、平行する一対の正面視Ｖ字状をなす弾性板４２の各上端を吸引口１５周囲に連結させ、各弾性板４２間下端相互を連通板４３で連結させて隙間保持体６を構成している。
【００４０】
図１０に示す実施例では、上端中央部に吸引口１５を開口する窓孔４４を穿設して吸引口１５両側に上端を連結させるとともに、中央が格子状に形成された格子板部４５と、吸引口１５前後に垂設した一対の係止板４６とから隙間保持体６を構成している。
【００４１】
尚、上記各部材は主として合成樹脂を使用して形成し、必要に応じてエラストマー，金属等を使用して形成する。
【００４２】
【発明の効果】
以上説明した如く本発明ポンプは、シリンダの周壁外面及び底壁下面を凹凸面に形成したので、液が減少して液充填袋がしぼんだ際にシリンダ外面に液充填袋が密着してその上部の液が下方へ移行しなくなる等の不都合を防止出来、また、吸引口周囲のシリンダ底壁下面に上端を連結して下端を液充填袋内底部に垂下させ、且つ液充填袋による吸引口の閉塞を邪魔するための隙間保持体を設けたので液充填袋がしぼんだ際にも上下動部材の作動不良が生じたりすることがなく、円滑な作動が行えるとともに、袋内の収納液の略全量を注出することができるものである。
【００４３】
また、隙間保持体とシリンダとは一体に形成しているため製造が容易で、また、組み付け操作も簡単となるため、安価に製造することができるという利点を兼ね備えている。
【００４４】
また、上記第２の手段では、液が隙間保持体の各脚の間からも吸引口に導入されるため、上下動部材のより円滑な作動を行えるものである。
【００４５】
また、上記第３の手段では、たとえ液充填袋が下端開口を閉塞することがあっても、筒壁に形成された透孔は各突条により閉塞されないため、確実に吸引口への液の導入を行える。
【００４６】
また、上記第４の手段では、各支持板部が吸引口の閉塞を阻止するとともに、放射板状部の各板間を伝って液が確実に吸引口に導入される。
【００４７】
また、上記第５の手段では、各支持棒部及び各円弧板状部により吸引口の閉塞を阻止して確実に吸引口への液の導入を行える。
【図面の簡単な説明】
【図１】本発明の一実施例を示す半断面図である。
【図２】シリンダ及び隙間保持体の他の一例を示す斜視図である。
【図３】シリンダ及び隙間保持体の更に他の一例を示す斜視図である。
【図４】シリンダ及び隙間保持体の更に他の一例を示す斜視図である。
【図５】シリンダ及び隙間保持体の更に他の一例を示す斜視図である。
【図６】シリンダ及び隙間保持体の更に他の一例を示す斜視図である。
【図７】シリンダ及び隙間保持体の更に他の一例を示す斜視図である。
【図８】シリンダ及び隙間保持体の更に他の一例を示す斜視図である。
【図９】シリンダ及び隙間保持体の更に他の一例を示す斜視図である。
【図１０】シリンダ及び隙間保持体の更に他の一例を示す斜視図である。
【符号の説明】
２…液充填袋，３…容器体、４…シリンダ，５…上下動部材，
６…隙間保持体，１３…シリンダ周壁，１４…シリンダ底壁，１５…吸引口，
２２…環状ピストン，２３…押し下げヘッド，３２…突条，３３…透孔，
３４…支持板部，３５…放射板状部，３６…支持棒部，３７…ドーナツ板状部，
３８…円弧板状部
【図１】
0003549944.tif 000002
【図２】
0003549944.tif 000003
【図３】
0003549944.tif 000004
【図４】
0003549944.tif 000005
【図５】
0003549944.tif 000006
【図６】
0003549944.tif 000007
【図７】
0003549944.tif 000008
【図８】
0003549944.tif 000009
【図９】
0003549944.tif 000010
【図１０】
0003549944.tif 000011